(57)【要約】      （修正有）【課題】簡単にメンテナンスを行うことができる厨芥処理装置を提供する。【解決手段】厨芥を投入する厨芥投入口６を上方に形成した厨芥処理室８と、この厨芥処理室の中に配置され、厨芥投入口よりも直径が大きく形成された回転板１０と、この回転板を回転駆動する駆動手段１２と、回転板の上側に配置され、厨芥投入口から回転板の上に投入された厨芥を粉砕する上側粉砕手段１６、１８と、この上側粉砕手段によって粉砕され、回転板の周縁と厨芥処理室の内壁との隙間から回転板の下に落ちた厨芥を粉砕するために、厨芥投入口から着脱可能、且つ出し入れ可能に、回転板の下側に取付けられた下側粉砕手段２２と、厨芥処理室と連続して回転板の下側に設けられ、下側粉砕手段によって粉砕された厨芥を受けて外部に排出する厨芥排出室１４と、を有する。【選択図】図２
2006198579.tif 000002
【特許請求の範囲】
【請求項１】
厨芥を投入する厨芥投入口を上方に形成した厨芥処理室と、
この厨芥処理室の中に配置され、最小幅が上記厨芥投入口よりも大きく形成された回転板と、
この回転板を回転駆動する駆動手段と、
上記回転板の下面よりも上側に配置され、上記厨芥投入口から上記回転板の上に投入された厨芥を粉砕する上側粉砕手段と、
この上側粉砕手段によって粉砕され、上記回転板の周縁と上記厨芥処理室の内壁との隙間から上記回転板の下に落ちた厨芥を粉砕するために、上記厨芥投入口から着脱可能、且つ出し入れ可能に、上記回転板の下側に取付けられた下側粉砕手段と、
上記厨芥処理室と連続して上記回転板の下側に設けられ、上記下側粉砕手段によって粉砕された厨芥を受けて外部に排出する厨芥排出室と、
を有することを特徴とする厨芥処理装置。
【請求項２】
上記回転板が、切欠部が形成された回転板本体と、上記切欠部の少なくとも一部を覆うように上記回転板本体に着脱可能に取付けられ、下側の面に上記下側粉砕手段が取付けられた回転板着脱部と、を有する請求項１記載の厨芥処理装置。
【請求項３】
上記回転板が、さらに、上記切欠部の少なくとも一部を覆うように取付けられた遮蔽板を有する請求項２記載の厨芥処理装置。
【請求項４】
上記上側粉砕手段が、上記回転板に取付けられた上側粉砕手段移動部と、上記厨芥処理室の内壁に設けられた上側粉砕手段固定部と、を有し、上記上側粉砕手段移動部が、上記回転板着脱部に取付けられている請求項２又は３記載の厨芥処理装置。
【請求項５】
上記回転板本体の切欠部の周囲には段部が形成されており、上記回転板着脱部の縁部が上記段部に落とし込まれることによって、上記回転板着脱部を上記回転板本体に取付けたとき、上記回転板本体の上面と上記回転板着脱部の上面の少なくとも一部がほぼ面一になる請求項２乃至４の何れか１項に記載の厨芥処理装置。
【請求項６】
上記下側粉砕手段が、使用時において、上記回転板の周縁よりも外方に突出するように構成されており、上記下側粉砕手段を取外す際に、上記下側粉砕手段を内方に引っ込めるための下側粉砕手段格納手段をさらに有する請求項１乃至４の何れか１項に記載の厨芥処理装置。
【請求項７】
上記回転板の周縁と上記厨芥処理室の内壁との間の半径方向の隙間が、０．１乃至５ｍｍである請求項１乃至６の何れか１項に記載の厨芥処理装置。
【請求項８】
上記駆動手段によって回転駆動される部材全体の重心点が、ほぼ回転軸線上に位置する請求項１乃至７の何れか１項に記載の厨芥処理装置。
【発明の詳細な説明】
【技術分野】
【０００１】
本発明は、厨芥処理装置に係わり、特に、投入された生ゴミ等の厨芥を粉砕して排出する厨芥処理装置に関する。
【背景技術】
【０００２】
特開２００１−２２４９７６号公報（特許文献１）には、投入された厨芥を粉砕して排出する厨芥処理装置が記載されている。この厨芥処理装置は、投入口と、この投入口に接続した円錐台状の破砕室と、破砕室に投入された厨芥を破砕するスイングハンマーやカッタ板を取付けた円形の回転板と、この回転板が回転することによって破砕された厨芥を下水に排出するための排出室と、を有する。この厨芥処理装置では、破砕室に投入された厨芥は、回転板の上面に取付けられたスイングハンマーと、破砕室の内壁に取付けられた固定刃との間ですり潰され、回転板の周囲から落ちる。スイングハンマーと固定刃の間で粗粉砕され、回転板の周囲から落ちた厨芥は、回転板の下側に、回転板の外側に突出するように取付けられたカッタ板によって更に微破砕される。カッタ板によって破砕された厨芥は、排出室に落ち下水に排出される。
【０００３】
特開２００１−２２４９７６号公報に記載されたような、厨芥処理装置では、その投入口が流し台のシンクの底面に開口しており、厨芥処理装置の投入口はシンクの排水口としても機能する。従って、厨芥処理装置の投入口の直径は、その機能上、シンクの排水口として適切な大きさに設定されている。一方、厨芥を破砕する回転板は、回転によって発生する遠心力を利用して厨芥を破砕しているため、ある程度以上の直径に形成されていなければ十分な破砕力を得ることができない。これらの制約条件から、厨芥処理装置の投入口の直径は８０乃至９０ｍｍに、回転板の直径は１４０乃至１５０ｍｍ程度に設計されている場合が殆どである。
【０００４】
【特許文献１】特開２００１−２２４９７６号公報
【発明の開示】
【発明が解決しようとする課題】
【０００５】
ここで、特開２００１−２２４９７６号公報に記載の厨芥処理装置において、カッタ刃を回転板の上側に設けることは、装置の安全上好ましくないため、カッタ刃は回転板の下側に設ける必要がある。この回転板の下側に設けられたカッタ刃を、回転板を取り外すことなく破砕室から取り出すことは不可能であり、カッタ刃のメンテナンスを行うためには、回転板を取り外し、破砕室から取り出さなければならない。しかしながら、投入口及び回転板が上記のような寸法に設計された厨芥処理装置では、メンテナンスや修理を行うために、回転板を投入口から取り出すことができないという問題がある。また、一般に、カッタ板等の破砕手段は、薄いブレード状の部材で構成される場合が多いので、曲がったカッタ板の交換や、カッタ板の清掃が必要になることもある。このような場合には、カッタ板のメンテナンスを行うために、厨芥処理装置を流し台から取り外し、破砕室を分解して回転板を取り外すという面倒な作業が必要であった。
従って、本発明は、簡単にメンテナンスを行うことができる厨芥処理装置を提供することを目的としている。
【課題を解決するための手段】
【０００６】
上述した課題を解決するために本発明の厨芥処理装置は、厨芥を投入する厨芥投入口を上方に形成した厨芥処理室と、この厨芥処理室の中に配置され、最小幅が厨芥投入口よりも大きく形成された回転板と、この回転板を回転駆動する駆動手段と、回転板の下面よりも上側に配置され、厨芥投入口から回転板の上に投入された厨芥を粉砕する上側粉砕手段と、この上側粉砕手段によって粉砕され、回転板の周縁と厨芥処理室の内壁との隙間から回転板の下に落ちた厨芥を粉砕するために、厨芥投入口から着脱可能、且つ出し入れ可能に、回転板の下側に取付けられた下側粉砕手段と、厨芥処理室と連続して回転板の下側に設けられ、下側粉砕手段によって粉砕された厨芥を受けて外部に排出する厨芥排出室と、を有することを特徴としている。
【０００７】
このように構成された本発明においては、厨芥投入口から厨芥処理室に投入された厨芥は、回転板の上側に配置された上側粉砕手段によって粉砕される。上側粉砕手段によって粉砕された厨芥は、回転板の周縁と厨芥処理室の内壁との隙間から回転板の下に落ちる。回転板の下に落ちた厨芥は、回転板の下側に取付けられた下側粉砕手段によって粉砕されて厨芥排出室に入り、外部に排出される。また、下側粉砕手段の保守、点検を行う際には、下側粉砕手段は、厨芥投入口を介して取外され、厨芥投入口を通って厨芥処理装置の外部に取り出される。次いで、下側粉砕手段の保守、点検、又は交換を行った後、下側粉砕手段は、厨芥投入口を通って厨芥処理室に搬入され、回転板に取付けられる。
このように構成された本発明によれば、下側粉砕手段を、厨芥投入口を介して着脱し、且つ出し入れすることができるので、回転板の下側に取付けられた下側粉砕手段を、簡単にメンテナンスすることができる。
【０００８】
本発明において、好ましくは、回転板が、切欠部が形成された回転板本体と、切欠部の少なくとも一部を覆うように回転板本体に着脱可能に取付けられ、下側の面に下側粉砕手段が取付けられた回転板着脱部と、を有する。
このように構成された本発明においては、厨芥投入口を介して、下側粉砕手段が取付けられた回転板着脱部を、回転板本体から取外し、又は取付けることによって、下側粉砕手段のメンテナンスを行うことができる。
【０００９】
本発明において、好ましくは、回転板が、さらに、切欠部の少なくとも一部を覆うように取付けられた遮蔽板を有する。
このように構成された本発明においては、回転板本体に形成された切欠部の全体が回転板着脱部によって覆われない場合でも、遮蔽板によって切欠部を覆うことができる。これにより、上側粉砕手段によって粉砕されていない厨芥が回転板の下に落下したり、回転板の上に流入した水道水が、粉砕された厨芥を流すことなく回転板の下に流出するのを防止することができる。
【００１０】
本発明において、好ましくは、上側粉砕手段が、回転板に取付けられた上側粉砕手段移動部と、厨芥処理室の内壁に設けられた上側粉砕手段固定部と、を有し、上側粉砕手段移動部が、回転板着脱部に取付けられている。
このように構成された本発明においては、厨芥投入口を介して回転板着脱部を取外すことにより、それに取付けられた下側粉砕手段及び上側粉砕手段移動部のメンテナンスを行うことができる。
【００１１】
本発明において、好ましくは、回転板本体の切欠部の周囲には段部が形成されており、回転板着脱部の縁部が段部に落とし込まれることによって、回転板着脱部を回転板本体に取付けたとき、回転板本体の上面と回転板着脱部の上面の少なくとも一部がほぼ面一になる。
このように構成された本発明においては、回転板本体に回転板着脱部を取付けることにより、回転板の上面に凹凸ができ、上側粉砕手段の作用に干渉したり、厨芥が付着するのを防止することができる。
【００１２】
本発明において、好ましくは、下側粉砕手段が、使用時において、回転板の周縁よりも外方に突出するように構成されており、下側粉砕手段を取外す際に、下側粉砕手段を内方に引っ込めるための下側粉砕手段格納手段をさらに有する。
このように構成された本発明においては、下側粉砕手段を取外す際に、下側粉砕手段を内方に引っ込めることができるので、使用時において、下側粉砕手段が回転板の周縁よりも大きく外方に突出している場合であっても、下側粉砕手段を容易に取出すことができる。
【００１３】
本発明において、好ましくは、回転板の周縁と厨芥処理室の内壁との間の半径方向の隙間が、０．１乃至５ｍｍである。
このように構成された本発明においては、回転板の周縁と厨芥処理室の内壁との間から、回転板の下に指を差し入れることができないので、厨芥処理装置の使用時、又は清掃時等に、誤って下側粉砕手段に触れて怪我をするのを防止することができる。
【００１４】
本発明において、好ましくは、駆動手段によって回転駆動される部材全体の重心点が、ほぼ回転軸線上に位置する。
このように構成された本発明においては、駆動手段によって回転駆動される部材全体の動的な釣り合いが取られているので、駆動手段によって回転板を滑らかに駆動することができる。
【発明の効果】
【００１５】
本発明の厨芥処理装置によれば、簡単にメンテナンスを行うことができる。
【発明を実施するための最良の形態】
【００１６】
次に、添付図面を参照して、本発明の好ましい実施形態を説明する。
まず、図１乃至４を参照して、本発明の第１実施形態による厨芥処理装置を説明する。図１は本発明の第１実施形態による厨芥処理装置を流し台のシンクに設置した様子を示す概略断面図であり、図２は厨芥処理装置の断面図である。また、図３は本実施形態による厨芥処理装置の回転板の平面図であり、図４は回転板の回転板着脱部を取り外した状態を示す平面図である。
【００１７】
図１に示すように、本発明の第１実施形態による厨芥処理装置１は、その厨芥投入口６が、流し台（図示せず）のシンク２の底面に開口するように設置される。また、厨芥処理装置１は、トラップを形成した排水管４を介して下水管（図示せず）に接続され、粉砕した厨芥を排出できるように設置される。さらに、下水管（図示せず）は、浄化槽を介して下水道に接続されている。
【００１８】
図２に示すように、本発明の第１実施形態による厨芥処理装置１は、厨芥を投入する厨芥投入口６を上方に形成した厨芥処理室８と、この厨芥処理室８の中に配置された回転板１０と、この回転板１０を回転駆動する駆動手段であるモーター１２と、厨芥処理室８と連続して回転板１０の下側に設けられ、粉砕された厨芥を受けて下水管（図示せず）に排出する厨芥排出室１４と、を有する。また、厨芥処理室８の下部の内壁面には上側粉砕手段固定部である固定刃１６が取付けられている。さらに、回転板１０の上面には、上側粉砕手段移動部である２つのスイングハンマー１８がシャフト２０を中心に回転可能に取付けられている。一方、回転板１０の下面には、下側粉砕手段であるブレード２２が、回転板１０を貫通して延びるシャフト２０の下端に夫々取付けられている。
【００１９】
厨芥処理室８は、上方に円形の厨芥投入口６が開口した概ね円錐台状に形成されている。また、厨芥投入口６は、シンク２の排水口を兼ねており、シンク２内の水は厨芥投入口６から厨芥処理室８に入り、厨芥排出室１４、排水管４を介して下水に排水されるように構成されている。本実施形態においては、厨芥投入口６の直径は約９０ｍｍ、厨芥処理室８の下部の直径は約１５０ｍｍに形成されている。このため、回転板１０は、その最小幅である直径が厨芥投入口６の最大の径よりも大きく形成されている。
【００２０】
次に、図３及び４に示すように、回転板１０は、厨芥処理室８の下部に水平に支持された金属製の円板である。本実施形態においては、回転板１０は、直径約１４４ｍｍの円板であり、厨芥処理室８の内壁と、回転板１０の周縁の間の隙間は、約３ｍｍとなる。この隙間は、回転板の下に落ちる厨芥の大きさを規定する。好ましくは、厨芥処理室８の内壁と、回転板１０の周縁の間の隙間は、使用者の指が入らない程度の隙間である約０．１乃至５ｍｍに設定する。回転板１０は、その中心がモーター１２の回転軸１２ａにネジ止めされており、モーター１２によって回転駆動される。
【００２１】
また、図４に示すように、回転板１０は、円板に２つの切欠部１０ｃ（１つのみ図示）を形成した回転板本体１０ａと、回転板本体１０ａの切欠部１０ｃを夫々覆うように回転板本体１０ａに取付けられる２つの回転板着脱部１０ｂから構成されている。回転板本体１０ａの切欠部１０ｃは矩形状であり、中心点に対して対称の位置に２箇所形成されている。回転板着脱部１０ｂは、切欠部１０ｃを覆う形状に形成されており、その縁部３箇所で回転板本体１０ａにネジ止めされるように構成されている。また、回転板本体１０ａに２枚の回転板着脱部１０ｂをネジ止めした回転板１０の外形は円形となる。本実施形態においては、回転板着脱部１０ｂの幅は、約６０ｍｍであり、厨芥投入口６を通して出し入れ可能な大きさに形成されている。
【００２２】
また、回転板着脱部１０ｂのほぼ中央には、それを直角に貫通するように、シャフト２０が取付けられている。シャフト２０は、回転板着脱部１０ｂの上面側において、金属製のスイングハンマー１８を回転可能に支持している。スイングハンマー１８は、概ね直方体のブロック状であり、一端にシャフト２０が通されている。また、スイングハンマー１８の底面は平面であり、先端に向かって厚さが厚くなり、先端は回転板着脱部１０ｂの周縁とほぼ同一曲率の円弧状に形成されている。また、スイングハンマー１８の長さは、スイングハンマー１８が、回転板１０の半径方向外方に向けられたとき、その先端が回転板着脱部１０ｂの周縁とほぼ一致するように設定されている。さらに、スイングハンマー１８は、シャフト２０を中心に回転したとき、その先端が、回転板着脱部１０ｂを回転板本体１０ａに固定するネジの頭と干渉しない長さに構成されている。
【００２３】
一方、シャフト２０は、回転板着脱部１０ｂの下面側において、金属製のブレード２２を、回転板着脱部１０ｂと平行に、回転板着脱部１０ｂに対して間隔を空けて支持している。金属製のブレード２２は、細長い長方形板状であり、その周縁には刃が形成されている。また、ブレード２２は、シャフト２０によって回転板１０の半径方向外方に向けて支持され、その先端は回転板着脱部１０ｂの円弧状の周縁よりも僅かに外方に突出している。
【００２４】
上記のように、本実施形態においては、回転板１０に取付けられる各部品は、回転板１０の中心点に対して対称の位置に取付けられている。このため、モーター１２によって回転駆動される部材である回転板本体１０ａ、回転板着脱部１０ｂ、スイングハンマー１８、シャフト２０、及びブレード２２全体の重心点は、ほぼ回転板１０が回転される回転軸線上に位置する。
【００２５】
また、図２に示すように、厨芥処理室８の下部の内壁には、回転板１０を取り囲むように、金属製の固定刃１６が取付けられている。固定刃１６には、円周方向に等間隔に多数の切り抜き部１６ａが形成されている。厨芥は、固定刃１６の各切り抜き部１６ａのエッジと、スイングハンマー１８の間に押し込まれることにより、厨芥処理室８内で粉砕される。従って、本実施形態において、固定刃１６及びスイングハンマー１８は、上側粉砕手段として機能する。また、上述したように、本実施形態においては、厨芥処理室８の内壁と回転板１０の周縁の間の隙間は約３ｍｍであるが、厨芥処理室８の内壁と回転板１０の周縁の間には、固定刃１６が配置されているため、固定刃１６の切り抜き部１６ａ以外の部分では、この隙間は固定刃１６の厚さ分だけ狭くなる。
なお、本実施形態においては、固定刃１６に切り抜き部１６ａが形成されているが、固定刃を厨芥処理室の内周全体を覆うように形成することもできる。この構成においては、固定刃の内側に凹凸を設けておき、固定刃の凸部分のエッジとスイングハンマーの間で厨芥を粉砕する。固定刃をこのように構成した場合には、固定刃の凹部分と回転板の周縁との間の隙間を約０．１乃至５ｍｍに設定するのが良い。なお、本明細書において、「回転板の周縁と厨芥処理室の内壁との間の半径方向隙間」とは、回転板の下に落ちる厨芥の大きさを規定する隙間を意味し、上記のような構成においては、回転板の周縁と固定刃の凹部分との間の隙間がこれに該当するものとする。
【００２６】
厨芥排出室１４は、厨芥処理室８と連続して、厨芥処理室８の下方に形成されている。厨芥排出室１４の上端は、厨芥処理室８の下部よりも僅かに大きい直径で厨芥処理室８と連通している。また、厨芥排出室１４の底面は傾斜しており、底面が最も低くなった部分に、排水管４と接続される接続部１４ａが形成されている。さらに、厨芥排出室１４の底面から鉛直上方に向けてモーター１２の回転軸１２ａが突出しており、回転軸１２ａの先端に回転板１０が固定されている。厨芥処理室８と厨芥排出室１４は、この回転板１０により上下に仕切られ、厨芥処理室８内で粉砕され、回転板１０の周囲から落下した厨芥が、厨芥排出室１４に受け入れられる。
【００２７】
次に、本発明の第１実施形態による厨芥処理装置１の作用を説明する。まず、厨芥処理装置１で処理すべき生ゴミ等の厨芥を、厨芥投入口６から投入して、厨芥処理室８の回転板１０の上に載せる。次に、シンク２に設けられた水道の蛇口（図示せず）を開け、シンク２に水を流す。さらに、厨芥投入口６に、通水孔が設けられた蓋（図示せず）を被せ、厨芥処理装置１のスイッチ（図示せず）をＯＮにする。厨芥処理装置１のスイッチ（図示せず）がＯＮにされると、モーター１２が始動され、回転板１０が回転する。本実施形態においては、回転板１０は、約１５００ｒｐｍで回転される。
【００２８】
回転板１０が回転されると、回転板１０の上に載せられた厨芥、及び蓋（図示せず）の通水孔を通って厨芥処理室８に流入した水道水が、遠心力によって厨芥処理室８の内壁の方に移動される。厨芥処理室８の内壁の方に移動された厨芥は、スイングハンマー１８の先端部と、固定刃１６のエッジとの間に挟まれながらすり潰され、粉砕される。また、スイングハンマー１８は、スイングハンマー１８を回転板１０の半径方向に向けるように作用する遠心力を受けるので、厨芥処理室８内の厨芥は、スイングハンマー１８によって固定刃１６に押し付けられ、粉砕される。
【００２９】
スイングハンマー１８と固定刃１６によって粉砕された厨芥は、厨芥処理室８に流入した水道水と共に、回転板１０と厨芥処理室８の内壁の隙間から落下する。回転板１０の下に落下する際、厨芥は、回転板１０と共に高速で回転するブレード２２によって更に細かく粉砕される。このブレード２２は、特に、厨芥の中の繊維状物、例えば、枝豆の鞘の筋等を細かく粉砕するのに有効である。ブレード２２によって粉砕された厨芥は、水道水と共に厨芥排出室１４の底に落下し、接続部１４ａを通って排水管４に排出される。
【００３０】
所定時間モーター１２を運転した後、厨芥処理装置１のスイッチ（図示せず）がＯＦＦにし、モーター１２を停止させる。次いで、厨芥排出室１４内の粉砕された厨芥が十分に排出された頃、水道の蛇口（図示せず）を閉め、止水する。
また、厨芥処理装置１のブレード２２の点検、清掃、交換等のメンテナンスをする場合には、作業者が厨芥投入口６からドライバー（図示せず）等の工具を挿入し、回転板着脱部１０ｂを回転板本体１０ａに固定しているネジを取り外す。ネジを取り外した後、ブレード２２及びスイングハンマー１８が取付けられた回転板着脱部１０ｂを、厨芥投入口６を介して外部に取り出す。取り出されたスイングハンマー１８、ブレード２２等の点検、清掃、交換等を行ったならば、厨芥投入口６を介して回転板着脱部１０ｂを回転板本体１０ａにネジ止めし、メンテナンスを終了する。
【００３１】
本発明の第１実施形態の厨芥処理装置によれば、ブレード及びスイングハンマーを取付けた回転板着脱部を、厨芥投入口から取り外し、取り出すことができるので、厨芥処理室を分解することなくブレードやスイングハンマーのメンテナンスを行うことができる。
また、本実施形態においては、回転駆動される部材全体の重心点がほぼ回転板の回転軸線上に位置するので、騒音、振動の発生を抑制することができ、また、耐久性の悪化及び粉砕性能の悪化を防止することができる。
【００３２】
次に、図５を参照して、本発明の第１実施形態による厨芥処理装置の変形例を説明する。本変形例の厨芥処理装置は、回転板の構成が第１実施形態とは異なる。従って、ここでは第１実施形態と異なる部分のみを説明する。
図５に示すように、本変形例の厨芥処理装置の回転板１１０は、回転板本体１１０ａと回転板着脱部１１０ｂからなる。回転板着脱部１１０ｂには、第１実施形態と同様に、シャフト１２０によってスイングハンマー１１８とブレード１２２が取付けられている。回転板着脱部１１０ｂは、回転板本体１１０ａの切欠部１１０ｃを覆うように構成されている。また、切欠部１１０ｃの周囲には、回転板本体１１０ａの他の部分よりも厚さが薄く形成された段部１１０ｄが設けられており、回転板着脱部１１０ｂはこの段部１１０ｄの中に落とし込まれる。これにより、回転板着脱部１１０ｂの上面と、回転板本体１１０ａの上面は面一になる。また、回転板着脱部１１０ｂを回転板本体１１０ａにネジ止めするためのネジ孔１１０ｅには、ザグリが形成されており、固定するためのネジの頭が回転板着脱部１１０ｂの上面よりも上に突出しないようになっている。
このように構成された本変形例によれば、スイングハンマーの長さを、回転板着脱部の大きさに制約されることなく、設定することができる。
【００３３】
次に、図６乃至８を参照して、本発明の第２実施形態の厨芥処理装置を説明する。本実施形態の厨芥処理装置は、回転板の構成が第１実施形態とは異なる。従って、ここでは第１実施形態と異なる部分のみを説明する。
図６は本発明の第２実施形態による厨芥処理装置の回転板の平面図であり、図７は断面図である。
【００３４】
図６及び図７に示すように、本実施形態による厨芥処理装置の回転板２１０は、回転板本体２１０ａと、２枚の回転板着脱部２１０ｂと、２枚の遮蔽板２２６と、を有する。また、２つのスイングハンマー２１８は、シャフト２２０によって夫々回転板本体２１０ａに回転可能に取付けられている。また、回転板本体２１０ａには、大小２つの長方形を組み合わせた形状の２つの切欠部２１０ｃが形成されている。使用時においては、切欠部２１０ｃの小さい長方形の部分に回転板着脱部２１０ｂが配置され、切欠部２１０ｃの大きい長方形の部分に遮蔽板２２６が配置されて、各切欠部２１０ｃが覆われる。なお、図６及び図７には、回転板着脱部２１０ｂ及び遮蔽板２２６を取り外した状態を左側に、回転板着脱部２１０ｂ及び遮蔽板２２６を回転板本体２１０ａに取付けた状態を右側に示している。
【００３５】
各回転板着脱部２１０ｂは、長方形板状であり、シャフト２２４が貫通して取付けられている。このシャフト２２４の下側の先端には、ブレード２２２が、回転板２１０の半径方向外方に向くように取付けられている。このブレード２２２を取付けた回転板着脱部２１０ｂは、厨芥投入口を介して容易に着脱し、出し入れすることができる大きさに構成されている。
【００３６】
また、図７に示すように、切欠部２１０ｃの小さい長方形の部分には、長方形の各短辺に回転板着脱部２１０ｂを受け入れるための溝２１０ｄが夫々形成されている。使用時においては、図７の右側に示すように、長方形状の回転板着脱部２１０ｂの各短辺を、溝２１０ｄが夫々受け入れて、回転板着脱部２１０ｂが回転板本体２１０ａに保持される。
【００３７】
次に、図８を参照して、回転板着脱部２１０ｂを回転板本体２１０ａに取付ける手順を説明する。まず、図８（ａ）に示すように、回転板着脱部２１０ｂを回転板本体２１０ａに形成された切欠部２１０ｃの大きい長方形の部分に配置する。次に、図８（ｂ）、（ｃ）に示すように、回転板着脱部２１０ｂを切欠部２１０ｃの中で半径方向外方にスライドさせ、回転板着脱部２１０ｂの両側の短辺が、切欠部２１０ｃの小さい長方形の部分に形成された溝２１０ｄに受け入れられるようにする。回転板着脱部２１０ｂを最後まで半径方向外方にスライドさせると、図８（ｂ）、（ｃ）に示すように、切欠部２１０ｃの小さい長方形の部分は、回転板着脱部２１０ｂによって覆われる。また、このとき、回転板着脱部２１０ｂの下側面に取付けられたブレード２２２は、回転板本体２１０ａから半径方向外方に突出する。さらに、図８（ｄ）に示すように、遮蔽板２２６を、切欠部２１０ｃの大きい長方形の部分を覆うように回転板本体２１０ａに取付ける。また、回転板着脱部２１０ｂを回転板本体２１０ａから取り外す場合には、以上の手順を逆に実行すれば良い。
【００３８】
本発明の第２実施形態による厨芥処理装置によって厨芥を粉砕する作用は、第１実施形態と同様であるので説明を省略する。
本発明の第２実施形態の厨芥処理装置によれば、回転板着脱部をスライドさせるだけで容易に着脱することができる。
【００３９】
次に、図９乃至１１を参照して、本発明の第３実施形態の厨芥処理装置を説明する。本実施形態の厨芥処理装置は、回転板の構成が第１実施形態とは異なる。従って、ここでは第１実施形態と異なる部分のみを説明する。
図９は本発明の第３実施形態による厨芥処理装置の回転板の平面図であり、図１０は断面図である。
【００４０】
図９及び図１０に示すように、本実施形態による厨芥処理装置の回転板３１０は、回転板本体３１０ａと、２枚の円板状の回転板着脱部３１０ｂと、２枚の遮蔽板３２６と、を有する。また、２つのスイングハンマー３１８は、シャフト３２０によって夫々回転板本体３１０ａに回転可能に取付けられている。また、回転板本体３１０ａには、円形と長方形を組み合わせた鍵穴状の２つの切欠部３１０ｃが形成されている。使用時においては、切欠部３１０ｃの長方形の部分に回転板着脱部３１０ｂが配置され、切欠部３１０ｃの円形の部分に遮蔽板３２６が配置されて、各切欠部３１０ｃが覆われる。なお、図９及び図１０には、回転板着脱部３１０ｂ及び遮蔽板３２６を取り外した状態を左側に、回転板着脱部３１０ｂ及び遮蔽板３２６を回転板本体３１０ａに取付けた状態を右側に示している。
【００４１】
各回転板着脱部３１０ｂは、円板状であり、取付けネジ３２４が上方に向けて取付けられている。回転板着脱部３１０ｂには、ブレード３２２が、回転板着脱部３１０ｂの半径方向に向くように取付けられている。回転板着脱部３１０ｂは、取付けネジ３２４に円形ナット３２８を螺合させ、回転板本体３１０ａを回転板着脱部３１０ｂと円形ナット３２８の間に挟み込むことにより、回転板本体３１０ａに取付けることができるようになっている。このブレード３２２を取付けた回転板着脱部３１０ｂは、厨芥投入口を介して容易に着脱し、出し入れすることができる大きさに構成されている。
【００４２】
また、図９に示すように、切欠部３１０ｃの長方形の部分の両側には、弓形の段部３１０ｄが夫々形成されている。この構成により、回転板着脱部３１０ｂを回転板本体３１０ａに取付けたとき、取付けネジ３２４に螺合された円形ナット３２８が段部３１０ｄの中に受け入れられ、回転板着脱部３１０ｂは所定の位置に位置決めされる。
【００４３】
次に、図１１を参照して、回転板着脱部３１０ｂを回転板本体３１０ａに取付ける手順を説明する。まず、図１１（ａ）、（ｂ）に示すように、回転板着脱部３１０ｂを、回転板本体３１０ａに形成された切欠部３１０ｃの円形の部分を通して、回転板本体３１０ａの下に配置する。次に、図１１（ｃ）に示すように、回転板着脱部３１０ｂを切欠部３１０ｃの中で半径方向外方に移動させ、回転板着脱部３１０ｂが、切欠部３１０ｃの長方形の部分の下に位置するようにする。さらに、図１１（ｄ）に示すように、円形ナット３２８を、回転板着脱部３１０ｂから上方に延びる取付けネジ３２４に螺合させ、回転板本体３１０ａを回転板着脱部３１０ｂと円形ナット３２８の間に挟み込む。このとき、円形ナット３２８が段部３１０ｄに受け入れられ、回転板着脱部３１０ｂに取付けられたブレード３２２が回転板３１０の半径方向外方に向くように、円形ナット３２８を螺合させる。これにより、回転板着脱部３１０ｂに取付けられたブレード３２２は、回転板本体３１０ａから半径方向外方に突出する。さらに、図１１（ｅ）に示すように、遮蔽板３２６を、切欠部３１０ｃの円形の部分を覆うように回転板本体３１０ａに取付ける。また、回転板着脱部３１０ｂを回転板本体３１０ａから取り外す場合には、以上の手順を逆に実行すれば良い。
【００４４】
本発明の第３実施形態による厨芥処理装置によって厨芥を粉砕する作用は、第１実施形態と同様であるので説明を省略する。
本発明の第３実施形態の厨芥処理装置によれば、簡単な機構で、回転板着脱部を容易に着脱することができる。
【００４５】
次に、図１２及び図１３を参照して、本発明の第４実施形態の厨芥処理装置を説明する。本実施形態の厨芥処理装置は、回転板の構成が第１実施形態とは異なる。従って、ここでは第１実施形態と異なる部分のみを説明する。
図１２は本発明の第４実施形態による厨芥処理装置の回転板の平面図であり、図１３は断面図である。
【００４６】
図１２及び図１３に示すように、本実施形態による厨芥処理装置の回転板４１０は、回転板本体４１０ａと、２枚の板状の回転板着脱部４１０ｂと、を有する。また、２つのスイングハンマー４１８は、シャフト４２０によって夫々回転板本体４１０ａに回転可能に取付けられている。また、回転板本体４１０ａには、矩形状の２つの切欠部４１０ｃが形成され、切欠部４１０ｃの周囲には、段部４１０ｄが形成されている。使用時においては、切欠部４１０ｃの周囲の段部４１０ｄに回転板着脱部４１０ｂが落とし込まれ、切欠部４１０ｃが回転板着脱部４１０ｂによって覆われる。なお、図１２及び図１３には、回転板着脱部４１０ｂを取り外した状態を左側に、回転板着脱部４１０ｂを回転板本体４１０ａに取付けた状態を右側に示している。
【００４７】
各回転板着脱部４１０ｂは、一辺が円弧状になった概ね長方形板状であり、３本のネジによって回転板本体４１０ａに取付けられる。また、回転板着脱部４１０ｂには、シャフト４２４が貫通して取付けられている。シャフト４２４の下側の先端には、ブレード４２２が、回動自在に取付けられている。また、ブレード４２２の半径方向内方の端部には、下側粉砕手段格納手段であるピン４２８が、上方に向けて取付けられている。このピン４２８は、回転板着脱部４１０ｂに形成された円弧状の長孔４１０ｅの中に通され、回転板着脱部４１０ｂの上面側に突出している。ピン４２８を、円弧状の長孔４１０ｅの中で移動させることにより、ブレード４２２は、シャフト４２４を中心に回動される。ピン４２８が円弧状の長孔４１０ｅの中央に位置し、ブレード４２２が回転板本体４１０ａの半径方向に向けられた状態では、ブレード４２２の先端は、回転板着脱部４１０ｂの縁部よりも外方に突出する（図１２の右側に図示したブレード４２２）。また、ピン４２８が円弧状の長孔４１０ｅの端に位置し、ブレード４２２が半径方向に対して傾斜した状態では、ブレード４２２の先端は、回転板着脱部４１０ｂの縁部よりも内側に位置する（図１２の左側に図示したブレード４２２）。このブレード４２２を取付けた回転板着脱部４１０ｂは、厨芥投入口を介して容易に着脱し、出し入れすることができる大きさに構成されている。
【００４８】
本発明の第４実施形態による厨芥処理装置の回転板４１０を、使用時に回転させると、ブレード４２２は、遠心力により自動的に回転板４１０の半径方向に向けられる。本実施形態の厨芥処理装置が厨芥を粉砕するその他の作用は、第１実施形態と同様であるので説明を省略する。また、メンテンナンス時、回転板着脱部４１０ｂを取り外す際には、使用者が厨芥投入口からピン４２８を操作して、ブレード４２２を回転板着脱部４１０ｂの内側に引っ込める。
【００４９】
本発明の第４実施形態の厨芥処理装置によれば、ピンを操作することにより、ブレードを回転板着脱部の内側に引っ込めることができるので、ブレードが回転板着脱部の外方に大きく突出するような構成においても、容易に回転板着脱部を取り外すことができる。
【００５０】
次に、図１４及び図１５を参照して、本発明の第４実施形態の厨芥処理装置の変形例を説明する。本変形例の厨芥処理装置は、ブレードを移動させる方向が、第４実施形態とは異なる。従って、ここでは第４実施形態と異なる部分のみを説明する。
図１４は本変形例による厨芥処理装置の回転板の平面図であり、図１５は断面図である。
【００５１】
図１４及び図１５に示すように、本変形例による回転板４１０の回転板着脱部４１０ｂには、シャフト４５２が貫通して取付けられている。シャフト４５２の下側の先端には、ブレード４５０が、摺動自在に取付けられている。また、ブレード４５０の半径方向内方の端部には、下側粉砕手段格納手段であるピン４５４が、上方に向けて取付けられている。このピン４５４は、回転板着脱部４１０ｂに形成された直線状の長孔４１０ｆの中に通され、回転板着脱部４１０ｂの上面側に突出している。ピン４５４を、直線状の長孔４１０ｆの中で移動させることにより、ブレード４５０は、半径方向に移動される。ピン４５４が直線状の長孔４１０ｆの半径方向外方の端に位置する状態では、ブレード４５０の先端は、回転板着脱部４１０ｂの縁部よりも外方に突出する（図１４の右側に図示したブレード４５０）。また、ピン４５４が直線状の長孔４１０ｆの半径方向内方の端に位置する状態では、ブレード４５０の先端は、回転板着脱部４１０ｂの縁部よりも内側に位置する（図１４の左側に図示したブレード４５０）。このブレード４５０を取付けた回転板着脱部４１０ｂは、厨芥投入口を介して容易に着脱し、出し入れすることができる大きさに構成されている。
【００５２】
本変形例による厨芥処理装置の回転板４１０を、使用時に回転させると、ブレード４５０は、遠心力により自動的に回転板４１０の半径方向外方に移動される。また、メンテンナンス時、回転板着脱部４１０ｂを取り外す際には、使用者が厨芥投入口からピン４５４を操作して、ブレード４５０を回転板着脱部４１０ｂの内側に引っ込める。
【００５３】
次に、図１６乃至図１８を参照して、本発明の第４実施形態の厨芥処理装置の更なる変形例を説明する。本変形例の厨芥処理装置は、ブレードが平行に２枚設けられている点と、このブレードとかみ合うように固定ブレードが設けられている点が、第４実施形態とは異なる。従って、ここでは第４実施形態と異なる部分のみを説明する。
【００５４】
図１６は本変形例による厨芥処理装置の断面図であり、図１７は厨芥処理室を取外して示した平面図であり、図１８は回転板の部分を拡大して示す断面図である。なお、図１７及び図１８は、左側にブレードを引っ込めた状態、右側にブレードを突出した状態を示している。
【００５５】
図１６乃至図１８に示すように、本変形例による厨芥処理装置４００は、下側粉砕手段であるブレード４６２が平行に２枚ずつ設けられている点が、図１２及び図１３に示した本発明の第４実施形態とは異なる。さらに、本変形例による厨芥処理装置４００では、これらのブレード４６０とかみ合うように、円弧状の固定ブレード４６２が設けられている。固定ブレード４６２は、厨芥排出室１４の内壁に、内方に突出するように取付けられている。各固定ブレード４６２は、平行に配置された３枚の円弧状のブレードから構成され、厨芥排出室１４の内壁に等間隔に６つ配置されている。ブレード４６０を突出させた状態においては、平行な２枚のブレード４６０は、固定ブレード４６２の３枚の円弧状のブレードの間に挿入されている。その他の構成は、図１２及び図１３を参照して説明した本発明の第４実施形態と同様であるので、詳細な説明は省略する。
【００５６】
次に、本変形例の厨芥処理装置４００の作用を説明する。使用時において、厨芥処理装置４００の回転板４１０を回転させると、ブレード４６０は、遠心力により自動的に回転板４１０の半径方向に向けられ、回転板４１０から突出した状態となる。スイングハンマー４１８及び固定刃１６によって粉砕され、回転板４１０の周縁から落下した厨芥は、ブレード４６０と固定ブレード４６２の間でせん断されながら微粉砕される。本変形例の厨芥処理装置が厨芥を粉砕するその他の作用は、第４実施形態と同様であるので説明を省略する。また、メンテンナンス時、回転板着脱部４１０ｂを取り外す際には、使用者が厨芥投入口からピン４２８を操作してブレード４６０を回転させ、回転板着脱部４１０ｂの内側に引っ込める点も第４実施形態と同様である。
【００５７】
本変形例の厨芥処理装置によれば、ピンを操作することにより、ブレードを回転板着脱部の内側に引っ込めることができるので、ブレードが固定ブレードとかみ合うような構成においても、容易に回転板着脱部を取り外すことができる。
【００５８】
また、図６、図９及び図１４に示す実施形態についても、本変形例と同様に、各ブレードを複数枚平行配置し、固定ブレードをそれらのブレードとかみ合うように厨芥排出室の内壁に設けても良い。
【００５９】
以上、本発明の厨芥処理装置の好ましい実施形態を説明したが、本発明に種々の変更を加えることができる。特に、上述した実施形態では、ブレードは、回転板着脱部との間に間隔を空けて配置されていたが、回転板着脱部の下側に密着させて配置しても良い。また、回転板着脱部を介さずに、回転板に直接、下側粉砕手段を着脱可能に取付けても良い。さらに、ブレード以外の部材によって下側粉砕手段を構成しても良い。例えば、下側粉砕手段をミル刃で構成することもできる。なお、ミル刃とは、上述した実施形態のブレードと概ね同様の形態を有しているが、そのエッジは、ブレードのように薄く鋭利には構成されておらず、主に厨芥を叩くことによって粉砕するものである。或いは、下側粉砕手段をスイングハンマーで構成することもできる。このように構成された厨芥処理装置では、回転板の上側に配置されたスイングハンマーで粉砕され、回転板の下側に落ちた厨芥が、さらに、回転板の下側に配置されたスイングハンマーで粉砕される。
【００６０】
また、上述した実施形態では、何れも、スイングハンマー及びブレードを、中心点を対称に２箇所ずつ設けていたが、スイングハンマー及びブレードは、３つ以上であっても良い。例えば、図１９に示すように、回転板着脱部を回転板の円周上に、９０゜ずつ間隔を空けて４つ配置し、各回転板着脱部の上下にスイングハンマー及びブレードを夫々設けても良い。或いは、図２０に示すように、回転板着脱部を回転板上に４つ配置し、各回転板着脱部の下側にはブレードを取付け、４つの回転板着脱部のうちの２つの上側にスイングハンマーを取付けても良い。さらに、回転板着脱部の数は奇数であっても良く、図２１に示すように、回転板着脱部を回転板の円周上に、１２０゜ずつ間隔を空けて３つ配置し、各回転板着脱部の上下にスイングハンマー及びブレードを夫々設けても良い。ただし、何れの場合においても、モーターによって回転駆動される部材全体の重心が、回転板の中心とほぼ一致し、部材全体の動的な釣り合いが保たれるように、各部品を配置する必要がある。
【００６１】
また、上述した実施形態では、回転板の上側に配置された粉砕手段である上側粉砕手段は、何れもスイングハンマーと固定刃により構成されていたが、上側粉砕手段を他の構成にすることもできる。例えば、図２２に示すように、上側粉砕手段を、厨芥処理室の内壁から半径方向内方に向けて突出する半径方向突起５０２と、回転板５１０上の２箇所に設けられた円柱状の円柱突起５０４によって構成しても良い。なお、図２２（ａ）は厨芥処理装置の断面図であり、（ｂ）は回転板の平面図である。また、図２２においては、回転板着脱部及び下側粉砕手段の図示は省略されている。このように構成された上側粉砕手段によれば、厨芥処理室内の厨芥は、半径方向突起５０２と円柱突起５０４の間ですり潰され、又はせん断されて粉砕される。
【００６２】
また、図２３に示すように、上側粉砕手段を、回転板５１０の中心にチェーン又はゴム５１２によって夫々取付けられた２つのハンマー５１４と、厨芥処理室の内壁に取付けられた固定刃５１６によって構成することもできる。なお、図２３（ａ）は厨芥処理装置の断面図であり、（ｂ）は回転板の平面図である。また、図２３においては、回転板着脱部及び下側粉砕手段の図示は省略されている。このように構成された上側粉砕手段によれば、チェーン又はゴム５１２によって取付けられたハンマー５１４は、遠心力により、厨芥処理室の内壁の方に引かれる。厨芥処理室内の厨芥は、遠心力によって引かれたハンマー５１４と固定刃５１６との間ですり潰され、又はせん断されて粉砕される。
【００６３】
或いは、図２４に示すように、上側粉砕手段を、回転板５２０の円周部に設けた小突起５２２と、厨芥処理室の内壁に取付けられた固定刃５１６によって構成することもできる。なお、図２４（ａ）は厨芥処理装置の断面図であり、（ｂ）は回転板の平面図である。また、図２４においては、回転板着脱部及び下側粉砕手段の図示は省略されている。このように構成された上側粉砕手段によれば、厨芥処理室内の厨芥は、遠心力により、厨芥処理室の内壁に押し付けられ、小突起５２２と固定刃５１６の間ですり潰され、又はせん断されて粉砕される。また、回転板５２０の周縁部５２４は、半径方向外方に向かって厚さが薄くなるように傾斜がつけられている。この傾斜によって、回転板５２０の周縁部５２４の厨芥は、効率的に厨芥処理室の内壁に押し付けられる。この構成では、回転板５２０と、厨芥処理室の内壁の間の半径方向隙間は、回転板５２０の下端において最も小さくなる。この半径方向の隙間は０．１乃至５ｍｍ程度に設定するのが良い。
【図面の簡単な説明】
【００６４】
【図１】本発明の第１実施形態による厨芥処理装置を流し台のシンクに設置した様子を示す概略断面図である。
【図２】本発明の第１実施形態による厨芥処理装置の断面図である。
【図３】本発明の第１実施形態による厨芥処理装置の回転板の平面図である。
【図４】本発明の第１実施形態による厨芥処理装置の回転板の回転板着脱部を取り外した状態を示す平面図である。
【図５】本発明の第１実施形態の厨芥処理装置の変形例による回転板の平面図である。
【図６】本発明の第２実施形態による厨芥処理装置の回転板の平面図である。
【図７】本発明の第２実施形態による厨芥処理装置の回転板の断面図である。
【図８】本発明の第２実施形態において、回転板着脱部を回転板本体に取付ける手順を説明する説明図である。
【図９】本発明の第３実施形態による厨芥処理装置の回転板の平面図である。
【図１０】本発明の第３実施形態による厨芥処理装置の回転板の断面図である。
【図１１】本発明の第３実施形態において、回転板着脱部を回転板本体に取付ける手順を説明する説明図である。
【図１２】本発明の第４実施形態による厨芥処理装置の回転板の平面図である。
【図１３】本発明の第４実施形態による厨芥処理装置の回転板の断面図である。
【図１４】本発明の第４実施形態による厨芥処理装置の変形例による回転板の平面図である。
【図１５】本発明の第４実施形態による厨芥処理装置の変形例による回転板の断面図である。
【図１６】本発明の第４実施形態による厨芥処理装置の更なる変形例の断面図である。
【図１７】本発明の第４実施形態による厨芥処理装置の更なる変形例の厨芥処理室を取外して示した平面図である。
【図１８】本発明の第４実施形態による厨芥処理装置の更なる変形例の回転板の部分を拡大して示す断面図である。
【図１９】回転板着脱部の配置の一例を示す回転板の平面図である。
【図２０】回転板着脱部の配置の一例を示す回転板の平面図である。
【図２１】回転板着脱部の配置の一例を示す回転板の平面図である。
【図２２】上側粉砕手段の変形例を示す（ａ）は厨芥処理装置の断面図、及び（ｂ）回転板の平面図である。
【図２３】上側粉砕手段の変形例を示す（ａ）は厨芥処理装置の断面図、及び（ｂ）回転板の平面図である。
【図２４】上側粉砕手段の変形例を示す（ａ）は厨芥処理装置の断面図、及び（ｂ）回転板の平面図である。
【符号の説明】
【００６５】
１        第１実施形態による厨芥処理装置
２        シンク
４        排水管
６        厨芥投入口
８        厨芥処理室
１０      回転板
１０ａ    回転板本体
１０ｂ    回転板着脱部
１０ｃ    切欠部
１２      モーター
１２ａ    回転軸
１４      厨芥排出室
１４ａ    接続部
１６      固定刃
１６ａ    切り抜き部
１８      スイングハンマー
２０      シャフト
２２      ブレード
１１０    第１実施形態の変形例による回転板
１１０ａ  回転板本体
１１０ｂ  回転板着脱部
１１０ｃ  切欠部
１１０ｄ  段部
１１０ｅ  ネジ孔
２１０    第２実施形態による厨芥処理装置の回転板
２１０ａ  回転板本体
２１０ｂ  回転板着脱部
２１０ｃ  切欠部
２１８    スイングハンマー
２２０    シャフト
２２２    ブレード
２２４    シャフト
２２６    遮蔽板
３１０    第３実施形態による厨芥処理装置の回転板
３１０ａ  回転板本体
３１０ｂ  回転板着脱部
３１０ｃ  切欠部
３１８    スイングハンマー
３２０    シャフト
３２２    ブレード
３２４    取付けネジ
３２６    遮蔽板
３２８    円形ナット
４００    第４実施形態による厨芥処理装置
４１０    第４実施形態による厨芥処理装置の回転板
４１０ａ  回転板本体
４１０ｂ  回転板着脱部
４１０ｃ  切欠部
４１０ｄ  段部
４１０ｅ  長孔
４１０ｆ  長孔
４１８    スイングハンマー
４２０    シャフト
４２２    ブレード
４２４    シャフト
４２８    ピン
４５０    ブレード
４５２    シャフト
４５４    ピン
４６０    ブレード
４６２    固定ブレード
５０２    半径方向突起
５０４    円柱突起
５１０    回転板
５１２    チェーン又はゴム
５１４    ハンマー
５１６    固定刃
５２０    回転板
５２２    小突起
５２４    周縁部
【図１】
2006198579.tif 000003
【図２】
2006198579.tif 000004
【図３】
2006198579.tif 000005
【図４】
2006198579.tif 000006
【図５】
2006198579.tif 000007
【図６】
2006198579.tif 000008
【図７】
2006198579.tif 000009
【図８】
2006198579.tif 000010
【図９】
2006198579.tif 000011
【図１０】
2006198579.tif 000012
【図１１】
2006198579.tif 000013
【図１２】
2006198579.tif 000014
【図１３】
2006198579.tif 000015
【図１４】
2006198579.tif 000016
【図１５】
2006198579.tif 000017
【図１６】
2006198579.tif 000018
【図１７】
2006198579.tif 000019
【図１８】
2006198579.tif 000020
【図１９】
2006198579.tif 000021
【図２０】
2006198579.tif 000022
【図２１】
2006198579.tif 000023
【図２２】
2006198579.tif 000024
【図２３】
2006198579.tif 000025
【図２４】
2006198579.tif 000026